(57)【要約】      （修正有）【課題】Ｗ−ＣＤＭＡ方式等を用いた無線通信システムにおいて、呼切断動作時に、切断のメッセージを受信できず、呼切断動作に失敗した場合、再度接続する動作を実施することにより着信および発信もできない期間の発生を回避する無線通信装置、無線通信装置の制御方法およびプログラムを提供する。【解決手段】  呼切断シーケンス中に、所定のメッセージを受信できずに、呼切断動作に失敗した場合であっても再度接続する動作を実施しない。【選択図】  図２
2006246170.tif 000002
【特許請求の範囲】
【請求項１】
呼切断シーケンス中に、所定のメッセージを受信できずに、呼切断動作に失敗した場合であっても再度接続する動作を実施しないことを特徴とする無線通信装置。
【請求項２】
終話処理時に発生するＤＩＳＣＯＮＮＥＣＴメッセージを検出し、該ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施しないことを特徴とする無線通信装置。
【請求項３】
呼切断シーケンス中に、所定のメッセージを受信できずに、呼切断動作に失敗した場合であっても再度接続する動作を実施しないことを特徴とする無線通信装置の制御方法。
【請求項４】
終話処理時に発生するＤＩＳＣＯＮＮＥＣＴメッセージを検出し、該ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施しないことを特徴とする無線通信装置の制御方法。
【請求項５】
無線通信装置に呼切断シーケンス中に、所定のメッセージを受信できずに、呼切断動作に失敗した場合であっても再度接続する動作を実施させない処理を実行することを特徴とするプログラム。
【請求項６】
無線通信装置に終話処理時に発生するＤＩＳＣＯＮＮＥＣＴメッセージを検出し、該ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施させない処理を実行させることを特徴とするプログラム。
【発明の詳細な説明】
【技術分野】
【０００１】
本発明は、呼切断動作に失敗した場合における無線通信装置、無線通信装置の制御方法およびプログラムに関する。
【背景技術】
【０００２】
従来、Ｗ−ＣＤＭＡ方式を用いた無線通信装置では、使用している周波数が同一であるため、あるユーザの個別物理チャネル電力が、他ユーザの干渉電力となり、また逆に他ユーザの個別物理チャネル電力が該ユーザの干渉電力となる。
【０００３】
Ｗ−ＣＤＭＡ方式を用いた通信システムは、該干渉電力によりシステム全体の加入者容量が制限されるシステムであるため、該干渉電力をできる限り少なく抑える必要がある。
【０００４】
干渉電力を少なく抑えるためには、各ユーザに割り当てられている個別物理チャネルの電力を少なく抑える必要があるが、個別物理チャネルの電力を少なく抑えすぎると、通信品質(以後、BLER:Block Error Rate)が劣化してしまう。そこで、Ｗ−ＣＤＭＡ方式を用いた通信システムでは、目標となるBLERを設定し、受信BLERが目標BLERを満たし、且つ個別物理チャネルの電力をできるだけ少なく抑えるよう、クローズドループ電力制御方法として知られる電力制御方法を実施している。
【０００５】
クローズドループ電力制御は、無線通信装置から基地局への上り回線及び、基地局から無線通信装置への下り回線に対し、各々実施される電力制御であり、以下のインナーループ電力制御とアウターループ電力制御により成り立っている。
【０００６】
ここで、ＳＩＲ測定部で受信ＳＩＲ値を測定し、この受信ＳＩＲ値と所定の目標ＳＩＲ値との大小関係に基づいて“Ｕｐ”コマンドまたは“Ｄｏｗｎ”コマンドを示すＴＰＣビットをＳＩＲ比較判定部およびＴＰＣビット生成部により生成し、一方、長区間品質測定部でＢＬＥＲを測定し、この測定ＢＬＥＲ値を目標ＢＬＥＲ値に近づけるべく目標品質設定部、ＢＬＥＲ比較判定部、増減制御部および目標ＳＩＲ出力部により上記の目標ＳＩＲ値が変化し、ただし所定のデータが送られてくるのに先立つ所定のタイミングで主制御部からなされるジャンプアップ指示に応じて、ジャンプアップ制御部が上記の目標ＳＩＲ値を一定量ジャンプアップさせることで、非確認型のメッセージなどのような特定のデータを受信し損ねてしまう確率を低減することができる技術が提案されている（例えば、特許文献１参照）。
【特許文献１】特開２００４−１１２０９７号公報
【発明の開示】
【発明が解決しようとする課題】
【０００７】
しかしながら、上述した従来例においては次のような問題点があった。
【０００８】
呼切断動作時に、ＲＲＣ＿ＣＯＮＮＥＣＴＩＯＮ＿ＲＥＬＥＡＳＥ等のメッセージを受信できずに、呼切断動作に失敗した場合には、ｃｅｌｌｕｐｄａｔｅメッセージを送信し、再度接続を実施しようとする無駄な動作が発生していた。
【０００９】
そのため、ｃｅｌｌｕｐｄａｔｅメッセージを再送している時間帯は、着信および
発信もできない期間となってしまうという問題があった。
【００１０】
そこで、本発明は、再度接続する動作を実施することにより着信および発信もできない期間の発生を回避する無線通信装置、無線通信装置の制御方法およびプログラムを提供することを目的とする。
【課題を解決するための手段】
【００１１】
請求項１記載の発明は、呼切断シーケンス中に、所定のメッセージを受信できずに、呼切断動作に失敗した場合であっても再度接続する動作を実施しないことを特徴とする無線通信装置である。
【００１２】
請求項２記載の発明は、終話処理時に発生するＤＩＳＣＯＮＮＥＣＴメッセージを検出し、ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施しないことを特徴とする無線通信装置である。
【００１３】
請求項３記載の発明は、呼切断シーケンス中に、所定のメッセージを受信できずに、呼切断動作に失敗した場合であっても再度接続する動作を実施しないことを特徴とする無線通信装置の制御方法である。
【００１４】
請求項４記載の発明は、終話処理時に発生するＤＩＳＣＯＮＮＥＣＴメッセージを検出し、ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施しないことを特徴とする無線通信装置の制御方法である。
【００１５】
請求項５記載の発明は、無線通信装置に呼切断シーケンス中に、所定のメッセージを受信できずに、呼切断動作に失敗した場合であっても再度接続する動作を実施させない処理を実行することを特徴とするプログラムである。
【００１６】
請求項６記載の発明は、無線通信装置に終話処理時に発生するＤＩＳＣＯＮＮＥＣＴメッセージを検出し、ＤＩＳＣＯＮＮＥＣＴメッセージが発生した場合には、その後の呼切断シーケンス中に、所定のメッセージを受信できずに、呼切断動作に失敗した場合であってもｃｅｌｌｕｐｄａｔｅメッセージを送信して再度接続する動作を実施させない処理を実行させることを特徴とするプログラムである。
【発明の効果】
【００１７】
本発明の無線通信装置、無線通信装置の制御方法およびプログラムによれば、再度接続する動作を実施することにより着信および発信もできない期間の発生を回避することができる。
【発明を実施するための最良の形態】
【００１８】
次に、本発明の一実施の形態について図を参照して詳細に説明する。
【００１９】
図１を参照すると、本実施の形態における無線通信装置は、アンテナ１と、無線部２と、ＣＤＭＡ処理部３と、圧縮伸長部４と、ＰＣＭ処理部５と、通話部６と、ユーザインタフェース部７と、記憶部８と、主制御部９から構成されている。
【００２０】
アンテナ１は、基地局から送信された無線信号を受信する機能を有している。
【００２１】
無線部２は、入力された無線信号をミキシングすることで中間周波信号に周波数変換する機能を有している。
【００２２】
ＣＤＭＡ処理部３は、網側より割り当てられたスクランブリングコードとチャネライゼーションコードによって中間周波信号を逆拡散処理する。続いてＣＤＭＡ処理部３は、例えばＱＰＳＫ（Ｑｕａｄｒａｔｕｒｅ  Ｐｈａｓｅ  Ｓｈｉｆｔ  Ｋｅｙｉｎｇ）変調方式に対応する直交復調を行ない、これによりデータレートに応じた所定のフォーマットの復調データまたはパケットデータに変換する機能を有している。
【００２３】
圧縮伸長部４は、ＣＤＭＡ処理部３から出力された復調データに対し、主制御部９から通知される受信データレートに応じた伸長処理を施す機能や、ビタビ復号等を用いた復号処理および誤り訂正復号処理を行なって、ベースバンドの音声データを再生する機能や音声データをＰＣＭ処理部５に与える機能を有している。
【００２４】
ＰＣＭ処理部５は、圧縮伸長部４から出力されたディジタルの音声データをＰＣＭ復号してアナログの音声信号を得る機能を有している。
【００２５】
表示部７ａは、これらＬＣＤおよびＬＥＤを用いて、通信相手の端末の電話番号および例えば着信状態などのような自端末の動作状態をはじめ、ＷＥＢサイトからのダウンロード情報、送受信メール、動画像、図示しないバッテリのＤｉｓｃｈａｒｇｅ状態等を表示する機能を有している。
【００２６】
入力部７ｂは、各種のキーを含むキー群が設けられている。入力部７ｂは、これらのキーの押下による使用者指示を入力する機能を有している。
【００２７】
記憶部８は、例えばＲＯＭ、ＤＲＡＭ（ｄｙｎａｍｉｃ  ＲＡＭ）、ＳＲＡＭ（ｓｔａｔｉｃ  ＲＡＭ）、あるいはフラッシュメモリ等であり、主制御部９用の動作プログラムを記憶する機能や各種の設定情報や各種の受信データ、あるいは本装置で作成された各種のデータを記憶する機能を有している。
【００２８】
主制御部９は、記憶部８に記憶されている動作プログラムに基づくソフトウエア処理により各部の制御処理を行なうことで、無線通信端末としての動作を実現する機能を有している。
【００２９】
次に、終話時の個別物理チャネルの電力制御方法の動作に関し、特に、下り回線の個別物理チャネルの電力制御動作について説明する。
【００３０】
まず、呼接続中の個別物理チャネルの電力制御は、従来のクローズドループ電力制御に従い実施される。
【００３１】
次に、終話による呼切断動作が実施されると無線通信装置は、呼切断シーケンスの開始を検出し、現在の目標ＳＩＲより、無線通信装置が保有している設定値に従い目標ＳＩＲを上げる。該設定値は、記憶部８に予め格納されている値か、もしくは報知情報などで基地局から通知される値である。
【００３２】
その後、従来のインナーループ電力制御に従い、無線通信装置は、現在の受信ＳＩＲを測定し、受信したＳＩＲと目標ＳＩＲとを比較する。目標ＳＩＲと比較し、受信ＳＩＲが目標ＳＩＲ未満であれば、下り個別物理チャネルの電力を上げる“ＵＰ"コマンドを、受信ＳＩＲが目標ＳＩＲ以上であれば、下り個別物理チャネルの電力を下げる"Ｄｏｗｎ"コマンドを、下り個別物理チャネルの電力を制御する制御信号(Transmitter Power Control:以後、ＴＰＣ)ビットとして、基地局に対し、上り回線を用いて送信する。
【００３３】
基地局では、該ＴＰＣビットを受信し、復号した結果が“Ｄｏｗｎ"であれば送信電力を下げ、"ＵＰ"であれば送信電力を上げるという制御を実行する。
【００３４】
該インナーループ電力制御は、呼切断シーケンスが終了するまで実施される。
【００３５】
なお、終話による呼切断シーケンスが終了した際、開放した個別物理チャネルの他に、他の個別物理チャネルが存在する場合、従来のクローズドループ電力制御が実施され、他の個別物理チャネルが存在しない場合には、個別物理チャネルの電力制御は終了する。
【００３６】
次に、本実施の形態における無線通信装置の制御動作について、図２のフローチャートを用いて詳細に説明する。
【００３７】
まずステップＳ２０１の呼接続状態では、個別物理チャネルの電力制御は、従来のクローズドループ電力制御に従い実施される。
【００３８】
次に、ステップＳ２０２で、ＤＩＳＣＯＮＮＥＣＴメッセージを検出し、終話による呼切断動作が実施される。
【００３９】
次に、ステップＳ２０３で呼切断シーケンス中に、ＲＲＣ＿ＣＯＮＮＥＣＴＩＯＮ＿ＲＥＬＥＡＳＥ等のメッセージを受信できずに、呼切断動作に失敗したか否かが判定される。
【００４０】
ステップＳ２０３で呼切断動作に失敗したと判定された場合は、ｃｅｌｌｕｐｄａｔｅメッセージを送信して再度接続する動作を実施しない（Ｓ２０４）。
【００４１】
一方、ステップＳ２０３で呼切断動作に成功したと判定された場合は、そのまま処理を終了する。
【００４２】
ここで、従来の呼切断動作中にやりとりされるメッセージの一例を示す。
【００４３】
ＭＳ→ＮＷ:ｕｐｌｉｎｋ＿Ｄｉｒｅｃｔ＿Ｔｒａｎｓｆｅｒ（ＤＩＳＣＯＮＮＥＣＴ）
【００４４】
ＭＳ←ＮＷ:ｄｏｗｎｌｉｎｋ＿Ｄｉｒｅｃｔ＿Ｔｒａｎｓｆｅｒ（ＲＥＬＥＡＳＥ）
【００４５】
ＭＳ→ＮＷ:ｕｐｌｉｎｋ＿Ｄｉｒｅｃｔ＿Ｔｒａｎｓｆｅｒ（ＲＥＬＥＡＳＥ  ＣＯＭＰＬＥＴＥ）
【００４６】
ＭＳ←ＮＷ:ＲＲＣ＿ＣＯＮＮＥＣＴＩＯＮ＿ＲＥＬＥＡＳＥ  なお、この際にＭＳで受信に失敗するものとする。
【００４７】
ＭＳ→ＮＷ:ｓｉｇｎａｌｌｉｎｇ＿Ｃｏｎｎｅｃｔｉｏｎ＿Ｒｅｌｅａｓｅ＿Ｉｎｄｉｃａｔｉｏｎ
【００４８】
ＭＳ→ＮＷ:ｃｅｌｌＵｐｄａｔｅ
【００４９】
ＭＳ→ＮＷ:ｃｅｌｌＵｐｄａｔｅ
【００５０】
ＭＳ→ＮＷ:ｃｅｌｌＵｐｄａｔｅ
【００５１】
ＭＳ→ＮＷ:ｃｅｌｌＵｐｄａｔｅ
【００５２】
上記の例における、ｃｅｌｌｕｐｄａｔｅメッセージを再送している時間帯は、着信および発信もできない期間である。
【００５３】
なお、上述する各実施の形態は、本発明の好適な実施の形態であり、本発明の要旨を逸脱しない範囲内において種々変更実施が可能である。例えば、上記の実施の形態における無線通信装置の機能を実現するためのプログラムを装置に読込ませて実行することにより機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【図面の簡単な説明】
【００５４】
【図１】本発明の実施形態における無線通信装置の概略構成図である。
【図２】本発明の実施形態における制御処理動作を示すフローチャートである。
【符号の説明】
【００５５】
１    アンテナ
２    無線部
３    ＣＤＭＡ処理部
４    圧縮伸長部
５    ＰＣＭ処理部
６    通話部
７    ユーザインタフェース部
８    記憶部
９    主制御部
【図１】
2006246170.tif 000003
【図２】
2006246170.tif 000004